(57)【特許請求の範囲】
【請求項１】
液保持性の吸収層及び液不透過性の防漏層を有し、該吸収層が高吸収性ポリマーを含有する吸収性物品において、該吸収性物品の所定部位に、スキンケア効果を有し且つ前記高吸収性ポリマーに対して実質的に分解作用を有さない植物エキスが施されており、該植物エキスは、前記部位から着用者の皮膚に移行して付着し得る状態で存在しており、該植物エキスとして、ハマメリスエキス、アスナロエキス及び柚エキスから成る群から選択される一種以上を用いた吸収性物品。
【請求項２】
前記防漏層と共に前記吸収層を挟持する液透過性の表面層を更に有し、該表面層に前記植物エキスが施されている請求項１記載の吸収性物品。
【請求項３】
前記吸収層に前記植物エキスが施されている請求項１記載の吸収性物品。
【請求項４】
前記高吸収性ポリマーは、遠心脱水法による生理食塩水の吸水量が３０ｇ／ｇ以上である請求項１〜３の何れかに記載の吸収性物品。
【発明の詳細な説明】
【０００１】
【発明の属する技術分野】
本発明は、高吸収性ポリマーの吸収性能を阻害せずに、着用者の皮膚のかぶれを効率的に抑制する吸収性物品に関する。
【０００２】
【従来の技術及び発明が解決しようとする課題】
着用者の皮膚のかぶれの防止を目的とした吸収性物品としては、例えば特表平１０−５０９８９５号公報及び特表平１０−５０９８９６号公報に記載のものが知られている。これらの公報には、エモリエント剤を含むローション剤がトップシートに塗られている使い捨ておむつが記載されている。このローション剤は、前記エモリエント剤をトップシートに不動化させる不動化剤を含んでいる。
【０００３】
しかし、前記公報に記載の使い捨ておむつでは、前記エモリエント剤がトップシートに不動化されているので、該エモリエント剤は着用者の皮膚へ移行しにくい状態となっている。従って、トップシートに施されている前記エモリエント剤は、その全量が皮膚の消炎作用に有効に寄与できず効率的とはいえない。更に、エモリエント剤を不動化させるために加えられた不動化剤自身が刺激物質となり、かぶれを生じさせる場合がある。また、ローション剤が硬くなり、皮膚に小さな傷を生じさせて、やはりかぶれを生じさせる場合がある。
【０００４】
また、前記公報以外にも、着用者の皮膚のかぶれの防止を目的として、薬効成分を施した吸収性物品が知られている。しかし、それらの吸収性物品においては、適切な薬効成分を選択しないと、薬効成分に起因して高吸収性ポリマーの架橋構造が切断されてしまい、液の吸収量が低下し、液戻り量が増加してしまう。液戻り量の増大は皮膚の湿潤の原因となり、これによって逆に皮膚のかぶれが促進されてしまう。それを防ぐために薬効成分の量を減らすと、かぶれ防止効果が発揮されない。
【０００５】
従って、本発明は、高吸収性ポリマーの吸収性能を阻害せずに、着用者の皮膚のかぶれを効率的に抑制し得る吸収性物品を提供することを目的とする。
【０００６】
【課題を解決するための手段】
本発明は、液保持性の吸収層及び液不透過性の防漏層を有し、該吸収層が高吸収性ポリマーを含有する吸収性物品において、該吸収性物品の所定部位に、スキンケア効果を有し且つ前記高吸収性ポリマーに対して実質的に分解作用を有さない植物エキスが施されており、該植物エキスは、前記部位から着用者の皮膚に移行して付着し得る状態で存在している吸収性物品を提供することにより前記目的を達成したものである。
【０００７】
【発明の実施の形態】
以下、本発明の吸収性物品の好ましい実施形態を、該吸収性物品として使い捨ておむつを例にとり図面を参照して説明する。
【０００８】
本実施形態の使い捨ておむつ１は、図１に示すように、不織布や有孔フィルム等からなる液透過性の表面層としての表面材２と、液不透過性の防漏層としての裏面材３と、表面材２及び裏面材３間に介在される液保持性の吸収層としての吸収体４とを有して構成されている。吸収体４は、おむつ１の股下領域に対応する領域がくびれた砂時計形状に湾曲形成されている。そして、吸収体４は、表面材２及び裏面材３によって挟持・固定されている。
【０００９】
吸収体４の前後および左右端縁部から外方に延出する表面材２及び裏面材３によって形成される背側および腹側のウエスト部５，５’と一対のレッグ部６，６とには、おむつ１を着用した際に、ウエスト部５，５’とレッグ部６，６とを着用者の身体にフィットさせるための弾性伸縮部材７が、表面材２及び裏面材３によって固定されて設けられている。背側のウエスト部５の幅方向両端にはそれぞれテープファスナー等からなる一対の止着具８が取り付けられており、また、腹側のウエスト部５’における裏面材３上には矩形状のランディングテープ等からなる被着具（図示せず）が貼付されている。そして、本実施形態の使い捨ておむつ１が着用される際に、止着具８，８が被着具上に止着するようになされている。おむつ１を構成するこれらの部材としては、従来の使い捨ておむつに用いられているものと同様のものが用いられる。
【００１０】
吸収体４は、高吸収性ポリマーの粒子及び不織布を有している。高吸収性ポリマーの粒子は不織布の繊維間間隙に保持されている。高吸収性ポリマーの粒子を保持した不織布は、薄葉紙１１によってその全面が被覆されている。これによって吸収体４が構成されている。このような構成の吸収体４は、パルプ及び高吸収性ポリマーの粒子を主体として構成される従来の吸収体に比して極めて薄いものとなる。不織布を構成する繊維としては、レーヨン繊維やコットン、酢酸セルロース等の親水性繊維、ポリエチレン、ポリプロピレン等のポリオレフィン系繊維、ポリエステル、ポリアミド等の縮合系繊維、塩化ビニル、酢酸ビニル等のビニルモノマー重合体の繊維等が挙げられる。これらの繊維のうち疎水性のものは、油剤等の処理により親水化して用いても良い。
【００１１】
本発明において用いられる高吸収性ポリマーは、その遠心脱水法による生理食塩水の吸水量が、好ましくは３０ｇ／ｇ以上、更に好ましくは３０〜４５ｇ／ｇ、一層好ましくは３５〜４５ｇ／ｇである。前記吸水量が３０ｇ／ｇ未満の高吸収性ポリマーを用いると、吸収力を向上させるために吸収体４中のポリマー量を増加させる必要があり経済的でなく、また厚型のオムツになってしまい携帯性に欠けることがある。前記吸水量は以下の方法で測定される。
【００１２】
＜高吸収性ポリマーの遠心脱水法による吸水量の測定方法＞
高吸収性ポリマー１ｇを生理食塩水１５０ｍｌで３０分間膨潤させた後、２５０メッシュのナイロンメッシュ袋に入れ、遠心分離機にて１４３Ｇで１０分間脱水し、脱水後の全体重量を測定する。次いで、以下の式（１）に従って遠心脱水法による吸水量（ｇ／ｇ）を算出する。
【００１３】
【数１】
0004208433.tif 000002
【００１４】
前記高吸収性ポリマーとしては、前記の特性を満足するものであれば特に制限されないが、具体的には例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられる。尚、前記の特性を満たすようにするためには、例えば、高吸収性ポリマーの粒子表面に架橋密度勾配を設けたり、高吸収性ポリマーの粒子を非球形状の不定形粒子とすればよく、具体的には特開平７−１８４９５６号公報の第７欄２８行〜第９欄第６行に記載の方法を用いることができる。
【００１５】
更に、本発明において用いられる高吸収性ポリマーは、以下の方法で測定される液通過時間が、２０秒以下、特に２〜１５秒であることが、ゲルブロッキングの発生及びそれに起因する吸収性能の低下を防止し、また、吸収が間に合わないことに起因する液の素抜けによる漏れの発生を防止する点から好ましい。
【００１６】
＜液通過時間の測定方法＞
断面積４．９１ｃｍ2 （内径２５ｍｍφ）で底部に開閉自在のコック（内径４ｍｍφ）が設けられた円筒内に、該コックを閉鎖した状態で、高吸収性ポリマー０．５ｇを生理食塩水と共に充填し、該生理食塩水により該高吸収性ポリマーを飽和状態に達するまで膨潤させる。膨潤した該高吸収性ポリマーが沈降した後、該コックを開き、生理食塩水５０ｍｌを通過させる。該生理食塩水５０ｍｌが通過するのに要した時間を測定し、この時間を液通過時間とする。
【００１７】
高吸収性ポリマーは、５〜３００ｇ／ｍ2 、特に１００〜２５０ｇ／ｍ2 配合されていることが好ましい。ポリマーの量が３００ｇ／ｍ2 を超えると前記不織布との絡み合いが十分でなくなり、ポリマーが移動し易くなり、また吸収性能の不安定化につながる。
【００１８】
本実施形態のおむつ１においては、表面材２に所定の植物エキスが施されている。植物エキスとしては、着用者の皮膚に対してスキンケア効果を有するものが用いられる。本明細書において、「スキンケア効果」とは、皮膚のかぶれ防止、消炎、抗菌等の皮膚の状態を正常にする効能全般を意味する。これに加えて、植物エキスとしては、吸収体４に含まれている高吸収性ポリマーに対して実質的に分解作用を有さないものが用いられる。「高吸収性ポリマーに対して実質的に分解作用を有さない」とは、高吸収性ポリマーに対して全く分解作用を有さない場合、及び高吸収性ポリマーの有する吸水性能を実質的に低下させない程度の低い分解作用を有する場合の双方を包含する。斯かる植物エキスを施すことで、着用者から排出された体液、例えば尿や汗によって起こり得る皮膚のかぶれや炎症が抑制され、またかぶれや炎症が起こった場合にそれらが治癒される。更に、吸収体４に含まれている高吸収性ポリマーの分解及びそれに起因する吸収性能の低下が防止される。高吸収性ポリマーの分解防止は、本実施形態に用いられている吸収体４のように、高吸収性ポリマーの吸収容量が高い場合（前述の遠心脱水法による吸水量が高い場合）に特に効果的である。
【００１９】
植物エキスは、表面材２から着用者の皮膚に移行して付着し得る状態で該表面材２に存在している。特に植物エキスは、水分と接触することでおむつ１から容易に離脱し、溶解又は分散するものであるか、又はそのような状態にあることが好ましい。具体的には、おむつ１が体液、例えば尿や汗と接触することによって該植物エキスが体液に拡散・溶解して該植物エキスに易動性が付与され、着用者の皮膚に移行して付着する状態で表面材２に存在していることが好ましい。植物エキスがこのような状態で存在していることで、植物エキスが移動し易くなり、容易に着用者の皮膚に達することができ、皮膚のかぶれや炎症が抑制され、またかぶれや炎症が起こった場合にそれらが迅速に治癒される。
【００２０】
植物エキスをこのような状態で存在させるには、例えば表面材２が不織布からなる場合、該不織布を構成する繊維に予め植物エキスを施しておき、植物エキスが施された繊維を原料として前記不織布を形成する方法が挙げられる。この場合、植物エキスは、界面活性剤の水溶液に混合しておき、混合により得られた混合液を前記繊維に付着させることで施される。
【００２１】
植物エキスを前記状態で存在させる別法として、表面材２に植物エキスを塗布する方法が挙げられる。この場合、植物エキスは、界面活性剤及び必要に応じ後述する浸透促進剤と混合しておき、混合により得られた混合液を表面材２に塗布することで施される。
【００２２】
植物エキスは、各種植物の全体又はその葉、樹皮、根及び枝のうちの一又は二以上の箇所を乾燥させ又は乾燥させることなく粉砕した後、常温又は加温下に溶剤によって抽出するか又はソックスレー抽出器等の抽出機具を用いて抽出することによって得られる。植物エキスとしては、スキンケア効果を有し且つ高吸収性ポリマーに対して実質的に分解作用を有さないものであれば特に制限無く用いることができる。特に、植物エキスとして、柚エキス、ハマメリスエキス、アスナロエキス、アロエエキス及びオウバクエキスから成る群から選択される一種以上の物質を用いることで、スキンケア効果が一層高くなり、また高吸収性ポリマーの分解が一層抑制される。これらのうちでも、スキンケア効果の更に一層の向上及び高吸収性ポリマーの更に一層の分解抑制の点から、ハマメリスエキス、アスナロエキス、柚エキスを用いることが好ましい。吸収性物品の製造工程で加熱処理を行う場合に防爆対応を要しない点から、前記植物エキスは、１，３−ブチレングリコール抽出物であることが好ましい。また、１，３−ブチレングリコール抽出物を用いることで、１，３−ブチレングリコールが植物エキスと共におむつ１中に共存することになり、吸収性能の劣化が少なくなる。
【００２３】
通常、植物エキスは、有効成分に加え溶剤成分及び水分を含んだ状態となっている。この状態での植物エキスの有効成分量（溶剤成分や水分を除いた量）は、０．００１〜５重量％であれば良い。但し、抽出用の溶剤成分として１，３−ブチレングリコールを用いた場合には、有効成分量と１，３−ブチレングリコールの量との総和が前記範囲内であればよい。特に、有効成分量は、溶剤成分の量に対して０．００１〜１０重量％であることが好ましい。
【００２４】
表面材２との摩擦に起因する皮膚の傷つきは、僅かな刺激物質に対してもかぶれを発生させる原因となる。そのため、植物エキスが施されている表面材２には不織布や織布などの軟らかな繊維集合体からなるシート材を用いることが好ましい。この観点から、繊維集合体を構成する繊維の太さは０．５〜５．５ｄｔｅｘ、特に１〜３．３ｄｔｅｘであることが好ましい。
【００２５】
表面材２として不織布を用いる場合には、その柔軟性を一層高めるために、構成繊維の融点よりも１０℃以内で高い温度で熱処理して不織布化することが望ましい。その場合、不織布の強度が低下し、おむつ１の製造や実使用上に支障を来す場合がある。そこで、不織布にエンボス処理を施すことによって、不織布の強度を向上させると共に肌との接触面積を上げて、植物エキスの移行量を増大させることが好ましい。エンボス処理する場合、エンボス面積率は、５〜５０％、特に１０〜３０％であることが、不織布の強度向上及び風合い低下の防止並びに接触面積の上がり過ぎに起因する皮膚とのべたつき防止の点から好ましい。
【００２６】
また、表面材２として不織布を用いる場合には、植物エキスを効果的に皮膚に移行させるために、該不織布の肌接触面側に多量の植物エキスを施すことが好ましい。このように植物エキスを施すには、不織布として二層以上の多層構造を有するエアスルー不織布を用い、肌接触面側である上層への植物エキスの配合量を高めることが望ましい。その場合、相対的に親水性処理剤の割合が低下することで、吸収性能の劣化につながるおそれがある。これを防ぐ目的で、肌非接触面側である下層に相対的に繊度の大きな繊維を用い、肌接触面側である上層に相対的に繊度の小さな複合繊維を用いることが好ましい。複合繊維としてサイド・バイ・サイド型や偏心芯鞘型の複合繊維を用いることで、繊維に立体捲縮がかかり、繊度が小さくても（＝風合いが優れる）、繊維間距離を大きくとることができ、吸収速度の向上が図れる。同様の考え方として、上層の一部に熱収縮繊維を混合しても良い。
【００２７】
植物エキスは、表面材２における少なくとも液の主吸収領域に施されている。「液の主吸収領域」とは、股下部からその前後方向へ延びる領域であり、表面材２における周縁部を除く意味である。勿論、表面材２の全面に亘って植物エキスが施されていてもよい。更には、立体ガード形成用の不織布、レッグ部、ウエスト部等の、おむつ内面における身体に接触し得る部分であれば、いずれの部分に施しても良い。
【００２８】
抽出方法や抽出溶媒によって異なるが、植物エキスは、表面材２の前記主吸収領域において、表面材２の該主吸収領域の重量に対して０．００５〜３重量％、特に０．０５〜１重量％施されていることが、安全性と効果とのバランス及び経済性の点から好ましい。
【００２９】
植物エキスが施されている部位、本実施形態においては表面材２に、植物エキスと共に該植物エキスの皮膚への浸透促進剤が施されていても良い。これによって、着用者の皮膚への植物エキスの浸透が促進され、皮膚のかぶれや炎症が一層抑制され、またかぶれや炎症が起こった場合にそれらが一層迅速に治癒される。
【００３０】
浸透促進剤としては、溶解度パラメータ値（以下、ＳＰ値という）が１５〜１７、特に１６〜１６．８の物質を用いることが好ましい。ＳＰ値が前記範囲内であることによって、べたつきが低くさらっとした感触のおむつとなる。
【００３１】
浸透促進剤としては、脂肪族エーテルや脂肪族エステルを用いることが好ましい。特に熱的に安定な物質である脂肪族エーテルを用いることが好ましい。この理由は、吸収性物品の製造工程においては一般に各構成部材の接合時に熱が付与され、その際に脂肪族エーテルは変性・分解しずらいからである。
【００３２】
特に好ましい浸透促進剤は、ミリスチル−１，３−ジメチルブチルエーテル、パルミチル−１，３−ジメチルブチルエーテル、ステアリル−１，３−ジメチルブチルエーテル、パルミチル−３−メチルプロピルエーテル、ステアリル−３−メチルプロピルエーテル等の脂肪族エーテルである。
【００３３】
本実施形態のおむつ１においては、植物エキスが施されている部位に、前述した浸透促進剤に加えてその他の成分を施してもよい。そのような成分としては、前記浸透促進剤のゲル化剤が挙げられる。前記浸透促進剤は、場合によっては吸収体４に含まれている高吸収性ポリマーの吸収性能を低下させるおそれがある。しかし、前記ゲル化剤によって前記浸透促進剤をゲル化させることで、該浸透促進剤が高吸収性ポリマーへ過度に拡散することが防止され、高吸収性ポリマーの吸収性能の低下が効果的に防止される。
【００３４】
前記ゲル化剤としては、前記浸透促進剤の拡散・移行を抑制し得る物質が用いられ、例えばパラフィンワックス、脂肪酸（Ｃ12〜Ｃ22）、脂肪族アルコール（Ｃ12〜Ｃ22）、ワセリン、脂肪酸ソルビタンエステル（モノ、ジ、トリ）、ポリオキシエチレン脂肪酸ソルビタンエステル等が挙げられる。
【００３５】
前記ゲル化剤は、前記浸透促進剤１００重量部に対して１０〜２００重量部、特に５０〜１００重量部施されていることが、経済性、触感、加工性の点から好ましい。
【００３６】
本実施形態のおむつ１においては、植物エキスが施されている部位に、前述した浸透促進剤及びゲル化剤に加えて別の成分を施してもよい。そのような成分としては、例えば前記植物エキス並びに必要に応じて用いられる前記浸透促進剤及び及び前記ゲル化剤を施す際に用いられる、これらの剤を含む混合物の粘度を調整するための粘度調整剤としての流動パラフィン、シリコーンオイル、動植物油（スクワラン、オリーブ油、ホホバ油、ベニバナ油）、モノ、ジ又はトリグリセライド等が挙げられる。前記植物エキス、前記浸透促進剤、前記ゲル化剤、及び前記粘度調整剤の混合物の常温（２０℃）におけるＪＩＳ硬度は２０〜５０であることが皮膚への植物エキスの移行性と触感とを両立できる点から好ましい。
【００３７】
本実施形態のおむつ１においては、前記植物エキスが施されている部位に、肌を滑らかにあるいは乾燥させる目的で、シッカロール、タルク、酸化チタン、シリコーンビーズ、ナイロンビーズ等の有機又は無機の微粒子を含有させても良い。該微粒子の粒径は０．０５〜５０μｍ、特に１〜２０μｍであることが前記目的が十分に達成される点から好ましい。
【００３８】
本発明は、前記実施形態に制限されない。例えば、植物エキスが着用者の皮膚に移行して付着し得る状態となるように該植物エキスを存在させる方法としては、前述の方法の他に以下の(1) 〜(5) の方法が例示される。
(1) おむつ１における弾性伸縮部材７が配された部位に植物エキスを施し、該植物エキスと皮膚との接触性を向上させることにより、該植物エキスを物理的に皮膚に移行させる方法。
(2) 常温で液体且つ実質的に不揮発性の物質、例えば保湿剤として知られている１，３−ブチレングリコール、グリセリン、プロピレングリコール、スクワラン、或いは前述の粘度調整剤と、植物エキスとを混合させて、該植物エキスの粘度を高めた状態で表面材２に施し、おむつ装着中の圧力によって表面材２から植物エキスを染み出させて皮膚に付着させる方法。
(3) 前述の有機又は無機の微粒子と、植物エキスとを混合させて、該植物エキスをペースト状或いは半固体状の状態で表面材２に施し、皮膚との接触によって前記微粒子ごと皮膚に移行・付着させる方法。
(4) 表面材２が不織布から構成されている場合、該不織布を構成する繊維に予め植物エキスを練り込んでおき、該植物エキスを繊維表面にブリードアウトさせて、皮膚に移行・付着させる方法。
(5) 植物エキスを多孔質粉体等に含浸させ、該多孔質粉体を表面材２に施し、植物エキスを該多孔質粉体表面にブリードアウトさせて、皮膚に移行・付着させる方法。
【００３９】
また、前記実施形態においては植物エキスを表面材２に施したが、これ代えて、またはこれと共に吸収体４の表面材側に植物エキスを施すことができる。吸収体４の表面材側に植物エキスを施す場合には、例えば吸収体４の表面材側に、水分活性が０．７以下となるように植物エキスを散布すればよい。
【００４０】
また吸収体４に、従来のおむつに一般的に用いられているパルプを含有させてもよい。この場合、パルプ１００重量部に対し、高吸収性ポリマーの量は５〜３００重量部であることが好ましい。
【００４１】
本発明の吸収性物品は、前述した使い捨ておむつに限られず、生理用ナプキン、失禁パッド、パンティライナー、おりものシート等の他の吸収性物品にも同様に適用できる。
【００４２】
【実施例】
以下の例中、特に断らない限り「％」及び「部」は、それぞれ「重量％」及び「重量部」を意味する。
【００４３】
〔実施例１〜３〕
実施例１では柚エキスのエタノール抽出液を３０部用いた。また実施例２及び３ではそれぞれハマメリスエキスの１，３−ブチレングリコール抽出液及びアスナロエキスの１，３−ブチレングリコールとエタノールとの混合抽出液を同様に３０部用いた。この部数の植物エキスと、ポリオキシエチレンアルキルエーテル（界面活性剤）７０部の５％水溶液とを均一に混合し、混合液を得た。芯がポリプロピレンで鞘がポリエチレンからなる偏心型芯鞘型複合繊維（２．２ｄｔｅｘ、５１ｍｍ）からなるエアスルー不織布の全面に前記混合液を塗布した。これにより植物エキスが施された表面材を得た。植物エキスの付着量（有効成分及び残存溶剤の合計量）はエアスルー不織布の重量に対して０．１５％であった。
【００４４】
これとは別に、レーヨン繊維（１．７ｄｔｅｘ、１５ｍｍ）と、ポリエチレンテレフタレート繊維（５．５ｄｔｅｘ、５１ｍｍ）とを重量比３０／７０の比率で混綿し、坪量４０ｇ／ｍ2 のエアスルー不織布を作製した。この不織布上に、高吸水性ポリマーの粒子を２００ｇ／ｍ2 の坪量となるように散布し、該不織布の繊維間に高吸水性ポリマー〔ポリアクリル酸ソーダ架橋体（遠心脱水法による吸水量５０ｇ／ｇ）〕の粒子を保持させた。次いで、この不織布上下面を坪量１５ｇ／ｍ2 の薄葉紙で包んで吸収体を得た。
【００４５】
この吸収体の片面に前記表面材を配し、他の面に裏面材としてポリエチレン製フィルムを配した。更に、公知の止着具、弾性伸縮部材等を配して、図１に示す形態の使い捨ておむつを得た。
【００４６】
〔実施例４〕
実施例２で用いたエアスルー不織布に直径２ｍｍの円形模様のエンボス処理（エンボス率２５％）を施した不織布を用いた以外は実施例２と同様にして使い捨ておむつを得た。
【００４７】
〔比較例１〕
ヒバマタエキスの１，３−ブチレングリコール抽出液１部及びポリオキシエチレンアルキルエーテル２部の５％水溶液を均一に混合し、混合物を得た。芯がポリプロピレンで鞘がポリエチレンからなる芯鞘型複合繊維（２．２ｄｔｅｘ、５１ｍｍ）からなるエアスルー不織布の表面に前記混合物を塗布した。これにより植物エキスが施された表面材を得た。植物エキスの付着量は実施例１と同様とした。これ以外は実施例１と同様にして使い捨ておむつを得た。
【００４８】
〔比較例２〕
実施例１で用いたエアースルー不織布に植物エキスを配合しなかった以外は実施例１と同様にして使い捨ておむつを得た。
【００４９】
〔性能評価〕
実施例及び比較例で得られた使い捨ておむつを１０名のモニターに２週間使用して貰い、おむつかぶれの発生の有無及び使用後の高吸収性ポリマーの溶解の程度を評価した。その結果を表１に示す。
【００５０】
【表１】
0004208433.tif 000003
【００５１】
表１に示す結果から明らかなように、実施例の使い捨ておむつ（本発明品）は、比較例のおむつに比して、おむつかぶれが抑制されていることが判る。また、高吸収性ポリマーの分解に起因する溶解も抑制されていることが判る。更に、表には示していないが、実施例の使い捨ておむつはべたつき感が無くさらっとした感触を呈していた。
【００５２】
【発明の効果】
本発明の吸収性物品によれば、高吸収性ポリマーの吸収性能を阻害せずに、着用者の皮膚のかぶれが効率的に抑制される。
【図面の簡単な説明】
【図１】本発明の吸収性物品の一実施形態としての使い捨ておむつを表面材側から見た一部破断平面図である。
【符号の説明】
１  使い捨ておむつ（吸収性物品）
２  表面材
３  裏面材
４  吸収体
【図１】
0004208433.tif 000004